(57)【要約】【課題】口先部材の外壁に弾性体からなる滑り止め部材を装着してなる筆記具において、滑り止め部材が容易に移動せず、且つ口先部材に、容易に滑り止め部材を装着可能な筆記具を提供することにある。【解決手段】軸筒の先端部に、外径が先端に向かって徐々に縮径してなる口先部材を着脱自在に装着し、前記口先部材の外壁に、弾性体からなる滑り止め部材を装着してなる筆記具であって、前記口先部材の外壁の軸心方向で異なる２箇所に、溝を周設し、前記滑り止め部材の内壁に、前記口先部材の２箇所の溝に対向する凸部を形成し、前記口先部材の溝に、前記滑り止め部材の凸部を係合して装着するとともに、前記軸筒の把持部にグリップ部材を装着するとともに、前記グリップ部材の先端部を滑り止め部材に圧接して配設するとともに、前記グリップ部材の先端外壁と滑り止め部材の後端外壁を連続的に形成することを特徴とする。【選択図】図２
2008254377.tif 000002
【特許請求の範囲】
【請求項１】
軸筒の先端部に、外径が先端に向かって徐々に縮径する口先部材を着脱自在に装着し、前記口先部材の外壁に、弾性体からなる滑り止め部材を装着し、前記軸筒の把持部にグリップ部材を装着してなる筆記具であって、前記口先部材の外壁の軸心方向で異なる２箇所に溝を周設し、前記滑り止め部材の内壁に、前記口先部材の２箇所の溝に対向して形成した凸部を装着するとともに、前記グリップ部材の先端面を前記滑り止め部材の後端面に圧接して配設したことを特徴とする筆記具
【請求項２】
前記グリップ部材の先端外径と、前記滑り止め部材の後端外径を、略同一とし、前記グリップ部材の先端外壁と滑り止め部材の後端外壁を連続的に形成したことを特徴とする請求項１に記載の筆記具
【請求項３】
前記滑り止め部材の一方の凸部の幅及び／又は内径が、対向する一方の溝の幅及び／又は溝の底壁の外径より大きく形成し、前記滑り止め部材の一方の凸部を前記一方の溝に圧入して係合するとともに、前記滑り止め部材の他方の凸部の幅及び／又は内径を、対向する他方の溝の幅及び／又は溝の底壁の外径と同等以下とし、前記滑り止め部材の他方の凸部を前記他方の溝に非圧入状態に係合してあることを特徴とする請求項１または２に記載の筆記具
【請求項４】
前記２つの溝の内幅を、前記２つの凸部の内幅よりも大ききくし、前記滑り止め部材が、軸心方向に伸長した状態に装着、又は前記２つの溝の外幅を、前記２つの凸部の外幅よりも大ききくし、前記滑り止め部材が、軸心方向に圧縮した状態に装着してあることを特徴とする請求項１ないし３の何れか１項に記載の筆記具
【請求項５】
前記滑り止め部材の硬度が、前記グリップ部材の硬度よりも硬いことを特徴とする請求項１ないし４の何れか１項に記載の筆記具
【発明の詳細な説明】
【技術分野】
【０００１】
本発明は、軸筒の先端部に、口先部材を着脱自在に装着し、前記口先部材の外壁に小径部を形成し、該小径部に弾性体からなる滑り止め部材を装着してなる筆記具に関する。
【背景技術】
【０００２】
従来から、軸筒の先端部に、口先部材を着脱自在に装着し、前記口先部材の外壁に小径部を形成し、該小径部に弾性体からなる滑り止め部材を装着してなる筆記具は知られている。
【０００３】
こうした筆記具として、実公平０５−２９９１３号公報「両頭複合筆記具」や特開２００５−７５８４号公報「筆記具」に開示されている。
【特許文献１】「実公平０５−２９９１３号公報」
【特許文献２】「特開２００５−７５８４号公報」
【発明の開示】
【発明が解決しようとする課題】
【０００４】
しかしながら、特許文献１のように、口金に形成した溝にＯリング等の弾性体を装着するだけでは、Ｏリングに指等が当接し、先端開口部方向や反対方向へ力が加わると容易に移動し、口金に形成した溝から外れてしまうことがあった。
【０００５】
また、特許文献２のように口金に形成した溝の後端に、後方に向かって固定溝の深さが深くなる傾斜面を形成することで、軸筒後端方向へ力が加わった場合の移動を防止することはできるが、先端開口部方向へ力が加わった場合には移動を防止することはできなかった。
【０００６】
本発明はこうした問題に鑑み、口先部材の外壁に弾性体からなる滑り止め部材を装着してなる筆記具において、滑り止め部材が容易に移動せず、且つ口先部材に、容易に滑り止め部材を装着可能な筆記具を提供することにある。
【課題を解決するための手段】
【０００７】
本発明は、軸筒の先端部に、外径が先端に向かって徐々に縮径する口先部材を着脱自在に装着し、前記口先部材の外壁に、弾性体からなる滑り止め部材を装着し、前記軸筒の把持部にグリップ部材を装着してなる筆記具であって、前記口先部材の外壁の軸心方向で異なる２箇所に溝を周設し、前記滑り止め部材の内壁に、前記口先部材の２箇所の溝に対向して形成した凸部を装着するとともに、前記グリップ部材の先端面を前記滑り止め部材の後端面に圧接して配設したことを特徴とする。
【０００８】
また、前記グリップ部材の先端外径と、前記滑り止め部材の後端外径を、略同一とし、前記グリップ部材の先端外壁と滑り止め部材の後端外壁を連続的に形成したことを特徴とする。
【０００９】
また、前記滑り止め部材の一方の凸部の幅及び／又は内径が、対向する一方の溝の幅及び／又は溝の底壁の外径より大きく形成し、前記滑り止め部材の一方の凸部を前記溝に圧入して係合し、他方の凸部の幅及び／又は内径が、対向する他方の溝の幅及び／又は溝の底壁の外径と同等以下とし、前記滑り止め部材の他方の凸部を前記他方の溝に非圧入状態に係合してあることを特徴とする。
【００１０】
更にまた、前記２つの溝の内幅を、前記２つの凸部の内幅よりも大ききくし、前記滑り止め部材が、軸心方向に伸長した状態に装着、又は前記２つの溝の外幅を、前記２つの凸部の外幅よりも大ききくし、前記滑り止め部材が、軸心方向に圧縮した状態に装着してあることを特徴とする。
【００１１】
更にまた、前記滑り止め部材の硬度が、前記グリップ部材の硬度よりも硬いことを特徴とする。
【発明の効果】
【００１２】
本発明は、口先部材の外壁に弾性体からなる滑り止め部材を装着してなる筆記具において、滑り止め部材が容易に移動せず、且つ口先部材に、容易に滑り止め部材を装着可能な筆記具を提供することができた。
【発明を実施するための最良の形態】
【００１３】
次に図面を参照しながら、本発明の筆記具の実施例を説明するが、本発明は以下の実施例に限定されるものではない。
【００１４】
実施例１
図１から図４に示す実施例１の筆記具１は、前軸２と内部胴４を着脱自在に螺着し、内部胴４を被覆するように後軸３を装着して軸筒本体を構成し、前軸２の先端の雄ねじ部２ａに黄銅を切削加工することにより形成した口先部材６の雌ねじ部６ａを着脱自在に螺着し、前軸２の把持部に、予めシリコーンゴムにて成形したグリップ部材５を配設してある。また、グリップ部材５と後軸３間に転がり防止用突起を兼務し、レンズ１６を有する装飾リング１５を回転自在に配設してある。
【００１５】
また、内部胴４内にＰＯＭ樹脂で形成した回転カム１１からなる出没機構を具備している。この出没機構は、従来から知られているもので、簡単に説明すると、内部胴４の内壁面に回転カム１１を前後に摺動案内し回転させるためのカム溝（図示せず）を形成し、このカム溝に、回転カム１１に形成した突起を係合して配設してある。回転カム１１の後端には、回転カム１１を摺動し回転を付与するためのカム部を先端に有した押し棒１０を配設し、さらにその後端にノック体８を、後軸３及び内部胴４より外方に突出した状態に配設した構造である。また、ノック体８にはノック体カバー９を装着してある。
【００１６】
回転カム１１の前方には、筆記具用インキ（図示せず）を収容したインキ収容管１２の先端部に、ボールを回転自在に包持したボールペンチップ１３を装着したボールペンレフィルをコイルスプリング１４により後軸３後端方向へ付勢して、摺動自在に配設してあり、口先部材６を取り外すことで、ボールペンレフィルを交換可能としてある。
【００１７】
ノック式の筆記具１を使用するには、ノック体８を押圧して押し棒１０を押圧し、さらに回転カム１１をカム溝（図示せず）に沿って前進させ、押し棒１０のカム部の作用により回転カム１１を回転させて、ボールペンチップ１３を口先部材６の先端開口部６ｂより突出させて使用することができる。さらにノック体８を押圧すると、押し棒１０のカム部の作用により回転カム１１を回転させ、コイルスプリング１４の付勢力によって回転カム１１をカム溝（図示せず）に沿って後退させ、ボールペンチップ１３を没入することができる。
【００１８】
口先部材６には、軸心Ｊ方向で異なる２箇所に、溝６ｃ、６ｄを周設してあり、滑り止め部材７に、口先部材の２箇所の溝６ｃ、６ｄに対向する位置に形成した凸部７ｂ、７ｃを係合して装着する。具体的には、口先部材６の先端側から滑り止め部材７を嵌挿すると、滑り止め部材７の後端側の凸部７ｃが口先部材６の外壁に当接する。その後、滑り止め部材７を後端方向に押圧（図３の矢印Ｆ方向）すると、弾性体で形成した滑り止め部材７は凸部７ｃの内径が大きくなる方向に広がって移動する。その後、先端側の凸部７ｂが口先部材６の外壁に当接する。更に、滑り止め部材７を後端方向に押圧（図３の矢印Ｆ方向）すると、凸部７ｂの内径も大きくなる方向に広がって移動し、対応する溝６ｄ、６ｄの位置で弾性変形によって元に戻り、凸部７ｂ、７ｃを溝６ｃ、６ｄに係合して装着してある。
【００１９】
また、口先部材６と前軸２との螺合が終了した時点で、グリップ部材５の先端面５ａと滑り止め部材７の後端面７ａを圧接（圧接量ｔ）して配設することによって、弾性体領域に段部や間隙が形成されないため、指が確実に弾性領域に当接し、滑り止めの効果が向上する。更に、グリップ部材５の先端外径Ｐと滑り止め部材７の後端外径ｐを略同一にすることによって、グリップ部材５と滑り止め部材７の外壁を段部のない連続状に形成することができ、把持しやすくなり好ましい。
【００２０】
このように、外径が先端開口部６ｂに向かって徐々に縮径する口先部材６の外壁に、軸心Ｊ方向で異なる２箇所に溝６ｃ、６ｄを周設し、この２箇所の溝６ｃ、６ｄに、滑り止め部材７に形成した凸部７ｂ、７ｃを係合して装着することによって、筆記時などに先端開口部６ｂ方向や反対方向へ力が加わっても、凸部７ｂ、７ｃの側壁面７ｅ、７ｆ、７ｇ、７ｈが対向する溝６ｃ、６ｄの側壁面６ｅ、６ｆ、６ｇ、６ｈに当接して滑り止め部材７の移動を防止することができるとともに、口先部材６に容易に滑り止め部材７を装着することができる。
【００２１】
また、口先部材６は前軸２に螺合してあるので、口先部材６に滑り止め部材７を装着することによって、締め付け及び取り外す時に、回転（図４のＲ方向及び反対方向）させやすいため、組立時における口先部材６の締め付け不足の発生を抑制し、ボールペンレフィルの交換性が向上する。
【００２２】
尚、本願発明は、グリップ部材と滑り止め部材を別個に形成しているが、グリップ部材と滑り止め部材を一体に形成した場合に比べ、組立工数は増加するものの、個々の装着が容易であり、結果として組立性が向上するとともに、個々の部材を形成し易く、且つ、口先部材を着脱し易いという効果を奏する。
【００２３】
また、滑り止め部材７の後端側の凸部７ｃの内径Ｎを、口先部材６の後端側の溝６ｄの底面外径ｎよりも小さく（Ｎ＜ｎ）し、滑り止め部材７の後端側の凸部７ｃを口先部材６の後端側の溝６ｄに圧入して装着力を向上させることが好ましい。本願発明では、軸心方向で異なる２箇所に、溝６ｃ、６ｄを周設し、この溝６ｃ、６ｄに滑り止め部材７の凸部７ｂ、７ｃを係合して装着してあるので、どちらか一方を圧入してあれば、もう一方を圧入していなくても強い装着力を得られるため、滑り止め部材７の先端側の凸部７ｂ内径Ｍは、口先部材６の先端側の溝６ｃの底面外径ｍと同等以下としてある。具体的には、どちらか一方の滑り止め部材の凸部内径Ｎと、口先部材の溝の底面の外径ｎとの径差は、０．２ｍｍ〜１ｍｍ程度としてあればよい。
【００２４】
また、２つの溝６ｃ、６ｄの内幅ｇを、滑り止め部材７の２つの凸部７ｂ、７ｃの内幅Ｇよりも大ききくし、滑り止め部材７を軸心方向に伸長した状態に装着、又は２つの溝６ｃ、６ｄの外幅ｈを、滑り止め部材７の２つの凸部７ｂ、７ｃの外幅Ｈより大ききくし、滑り止め部材７を軸心方向に圧縮した状態に装着することによって、凸部７ｂ、７ｃの側壁面が、溝６ｃ、６ｄの側壁面に圧接し、軸心方向での装着力が向上し、滑り止め部材７が移動し難くすることができるので好ましい。
【００２５】
口先部材の溝及び対向する滑り止め部材の凸部の形成位置は、軸心方向で異なる位置であれば特に限定されないが、滑り止め部材の先端部及び後端部の内壁に凸部を形成し、凸部間の距離を離すことによって、凸部間の距離が短い場合に比べて凸部の内径が大きくなる方向に広がる時に、一方の凸部が、他方の凸部が広がる影響を受け難くなるため、広がりやすくなるため好ましい。また、少なくとも２個所に溝を形成してあれば、３箇所、４箇所等、溝の数は特に限定されない。
【００２６】
尚、本実施例では、便宜上、後軸内に内部胴を配設し、この内部胴にカム溝（図示せず）、回転カム等の出没機構を具備してあるが、後軸に直接、カム溝（図示せず）を形成し、回転カム等の出没機構を具備してもよい。
【００２７】
本発明の弾性体は、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、一般的に知られている弾性体のなかから適宜選定すればよいが、対候性、耐熱性、耐寒性等を考慮し、シリコーンゴムを用いることが好ましい。更に、装着性や把持感を考慮し、硬度（試験方法：ＪＩＳ  Ｋ６３０１、試験条件：ＪＩＳ−Ａ型）が２０〜７０、好ましくは３０〜５０のシリコーンゴムを用いることが最も好ましい。
【００２８】
また、滑り止め部材の装着性を向上させるために、少なくとも内壁面を梨字面とすることが好ましい。更にまた、グリップ部材と滑り止め部材が圧接したときに滑り止め部材が変形すると、溝から凸部が外れ易くなるために、滑り止め部材の硬度をグリップ部材の硬度よりも硬くすることが好ましい。
【００２９】
実施例では、便宜上、口先部材を金属製にて形成してあるが、金属製に限定されるものではなく、樹脂材料等、口先部材として一般的に知られている材料のなかから適宜選定すればよい。
【産業上の利用可能性】
【００３０】
本発明の筆記具は筆記体の種類やノック式、キャップ式に限定されることなく、口先部材を着脱自在に装着してなる筆記具に広く実施可能である。
【図面の簡単な説明】
【００３１】
【図１】本発明の筆記具の軸筒を示す、縦断面図である。
【図２】図１における要部拡大断面図である。
【図３】図１における口先部材と滑り止め部材を示す図である。
【図４】図１における口先部材を螺着する状態を示す一部省略した図である。
【符号の説明】
【００３２】
１  筆記具
２  前軸
２ａ  雄ねじ部
３  後軸
４  内部胴
５  グリップ部材
５ａ  先端面
６  口先部材
６ａ  雌ねじ部
６ｂ  先端開口部
６ｃ、６ｄ  溝
７  滑り止め部材
７ａ、７ｂ  凸部
８  ノック体
８  ノック体カバー
１０  押し棒
１１  回転カム
１２  インキ収容筒
１３  ボールペンチップ
１４  コイルスプリング
Ｍ、Ｎ  凸部の外径
ｍ、ｎ  溝の内径
Ｐ  滑り止め部材の後端外径
ｐ  グリップ部材の先端外径
ｔ  圧接量
【図１】
2008254377.tif 000003
【図２】
2008254377.tif 000004
【図３】
2008254377.tif 000005
【図４】
2008254377.tif 000006